(57)【要約】      （修正有）【課題】土壌に埋めると分解されるとともに、緑化を促進し、大気中の二酸化炭素を吸収、低減する自然環境に配慮した支管を提供する。【解決手段】ラベル連続体のような長尺帯状体をロール状に巻き取る円筒状の支管本体４に凹部５を設け、凹部５に植物種子６を収容して、分解しやすい材料である被覆シート７で外部へ露出しないよう凹部５を塞いでいる。【選択図】図２
2013224202.tif 000002
【特許請求の範囲】
【請求項１】
長尺帯状体を巻回する巻芯に用いる支管であって、
円筒状の支管本体と、
前記支管本体の周面に形成される凹部と、
前記凹部に収容される植物種子と、
前記凹部を覆うように貼着された被覆シートと、を有することを特徴とする支管。
【請求項２】
前記支管本体と前記被覆シートは、紙と生分解性樹脂との一方または両方からなることを特徴とする請求項１に記載の支管。
【請求項３】
前記凹部は、支管本体の外周面に螺旋状に形成された溝であることを特徴とする請求項１または２に記載の支管。
【請求項４】
前記凹部は、支管本体の外周面もしくは内周面に支管本体の軸線方向と平行して形成された溝であることを特徴とする請求項1または２に記載の支管。
【発明の詳細な説明】
【技術分野】
【０００１】
本発明は、紙、フィルム、インクリボン、ラベルの連続体、衣料用のタグのような長尺な帯状の物を巻き取る軸として使用する円筒状の支管に関する。
【背景技術】
【０００２】
日常生活の様々なところで、ラベルが使われている。例えば、小売業における商品ラベル、生鮮食品に貼付する軽量ラベルや成分表示ラベル、運送業における荷札や伝票ラベル、工場での内容明細ラベルなどがある。
これらのラベルは、ラベルプリンタ（不図示）を用いて情報を印字、発行して使用される。ラベルプリンタで効率良くスムーズに発行するために、ラベルは長尺帯状の剥離台紙に所定間隔で仮着し、ロール状に巻回した状態でラベルプリンタにセットすることが一般的である。ラベルロールを円筒形の支管に巻いておくことで、巻出しの動作がスムーズになる。
【０００３】
支管には、紙製のものや、プロピレン樹脂、スチレン樹脂、アクリル樹脂、ＡＢＳ樹脂、ポリエステル樹脂、塩化ビニル樹脂などの合成樹脂製のものがある。
【０００４】
支管は、使用後に不要になって廃棄物となる。廃棄物となった支管は、一般的に焼却もしくは埋め立てによって処理される。焼却した場合、燃焼によって二酸化炭素が発生し、地球温暖化の原因となってしまう。埋め立てた場合、紙製の支管は土壌中で分解されるが、合成樹脂製の支管は土壌で分解されない。また、環境汚染の原因になることもある。
【０００５】
そこで、自然環境の中で分解される生分解性プラスチック製の支管が提案されている。この生分解性プラスチック製の支管は、使用後に土壌に埋めたとしても、土壌中の細菌やバクテリアなどの微生物の作用により分解されるため、自然環境に与える影響を低減することができる。
このように生分解性プラスチック製の支管は、環境負荷が少なく優れた物ではあるが、これからは廃棄物の処理のみならず積極的な緑化も求められている。
【先行技術文献】
【特許文献】
【０００６】
特開平８−２１７３３８
【発明の開示】
【発明が解決しようとする課題】
【０００７】
本発明は、土壌に埋めると分解されるとともに、緑化を促進し、大気中の二酸化炭素を吸収、低減する自然環境に配慮した支管を提供することを課題とする。
【課題を解決するための手段】
【０００８】
本発明の支管は、長尺帯状体を巻回する巻芯に用いる支管であって、円筒状の支管本体と、前記支管本体の周面に形成される凹部と、前記凹部に収容される植物種子と、前記凹部を覆うように貼着された被覆シートと、を有することを特徴とする支管である。
支管本体と被覆シートは、紙と生分解性樹脂との一方または両方からなる。
凹部は、支管本体の外周面に螺旋状に形成された溝である。
凹部は、支管本体の外周面もしくは内周面に支管本体の軸線方向と平行して形成された溝である。
【発明の効果】
【０００９】
本発明の支管は、大部分が紙や生分解性樹脂からなるので、土壌に埋めても、土壌中の細菌やバクテリアなどの微生物の作用により分解され、自然環境を損なうことがない。
本発明の支管は、巻芯として使用した後に、植物種子が発芽生育する苗床としても活用することができる。
本発明の支管は、支管内部に収容してある植物種子が発芽生育することにより緑化を促進することができる。さらに、発芽生育した植物が大気中の二酸化炭素を吸収、低減するので、地球温暖化の防止にも寄与する。
【図面の簡単な説明】
【００１０】
【図１】本発明の第一の実施形態に係る支管にラベル連続体をロール状に巻き取った斜視図である。
【図２】本発明の第一の実施形態に係る支管の説明図であって、図２（ａ）は支管の部分切欠き斜視図、図２（ｂ）は図２（ａ）のｂ−ｂ線断面図、図２（ｃ）は図２（ｂ）の要部拡大図である。
【図３】本発明の第一の実施形態に係る支管を土壌に埋めた状態とその後の変化を表す説明図である。
【図４】本発明の別の実施形態に係る支管の部分切欠き斜視図である。
【図５】本発明のさらに別の実施形態に係る支管の説明図であって、図５（ａ）は支管の斜視図、図５（ｂ）は図５（ａ）のｂ−ｂ線断面図、図５（ｃ）は図５（ｂ）の要部拡大図である。
【図６】本発明のさらに別の実施形態に係る支管の説明図であって、図６（ａ）は支管の斜視図、図６（ｂ）は図６（ａ）のｂ−ｂ線断面図、図６（ｃ）は図６（ｂ）の要部拡大図である。
【発明を実施するための最良の形態】
【００１１】
以下、本発明の第一の実施形態について図面を用いて説明する。
図１は、本発明の第一の実施形態に係る支管にラベル連続体をロール状に巻き取った斜視図である。図２は、本発明の第一の実施形態に係る支管の説明図であって、図２（ａ）は支管の部分切欠き斜視図、図２（ｂ）は図２（ａ）のｂ−ｂ線断面図、図２（ｃ）は図２（ｂ）の要部拡大図である。
【００１２】
図１に示すように、支管１は、ラベル連続体２のような長尺帯状体をロール状に巻き取る円筒状の巻芯である。長尺帯状体としては、ラベル連続体２の他、短冊状のタグが複数枚連続したタグ連続体、ラベルおよびタグに印字する際に用いるインクリボンなどが挙げられる。その他にも、紙、フィルム、粘着テープ、トイレットペーパー、キッチンペーパー、ラップフィルム、アルミフォイルなどがある。
【００１３】
図２に示すように、支管１は、円筒状の支管本体４と、支管本体４の外周面に形成された凹部５と、この凹部５内に収容された植物種子６と、凹部５全体を覆う被覆シート７と、で構成されている。
【００１４】
支管本体４は、帯状の板紙１３を複数層螺旋状に重ね巻きすることで形成したものである。（マンドレルシャフトに帯状の板紙１３を螺旋状に巻いた後に、さらにその上層に別の帯状の板紙１３を巻き付けて接着する工程を幾度か繰り返すことで円筒状の支管本体４が形成されていく。）
【００１５】
凹部５は、最外周面に形成された有底の溝１５である。この溝１５は、支管本体４最外周面となる板紙１３を螺旋状に巻く際に、所定幅の隙間を開けて巻くことで凹部５を形成する。
この溝１５は、最外周面に巻き付ける板紙１３の厚みによって、深さを適宜設定することができる。
【００１６】
また、支管本体４として、帯状の板紙１３を螺旋状に重ね巻きしたもの以外に、生分解性樹脂を用いて形成することができる。その場合は、生分解性樹脂を成型機で成型して支管本体４を得る。支管本体４の外周面には、螺旋状の凹部５が形成されている。
【００１７】
支管本体４に用いる板紙１３の材料としては、特に限定されないが、巻芯として一定強度が保てるとともに、水分を吸収すると離解する性質のものを用いる。例えば、段ボール原紙、クラフト紙、古紙、再生紙（古紙配合率５％〜５０％）などを挙げることができる。
【００１８】
板紙１３の接着には、澱粉糊、カゼイン、にかわ、天然ゴムなど、土壌に埋めると土壌中の細菌やバクテリアなどの微生物の作用により分解する天然材料を用いる。
【００１９】
支管本体４に用いる生分解性樹脂は、土壌に埋めても、土壌中の細菌やバクテリアなどの微生物の作用により、最終的に水と二酸化炭素などの自然環境に無害なものに分解されるものである。生分解性樹脂としては、例えば、キトサン、セルロース、澱粉、酢酸セルロースなどの天然材料を含む樹脂や、バイオポリエステルなどの脂肪族ポリエステル類、プルランやカードランなどの微生物多糖などの微生物由来材料や、ポリ乳酸、ポリカプロラクトン、ポリブチレンサクシネート、ポリブチレンサクシネートアジペートなどの脂肪族ポリエステル、芳香族変性脂肪族ポリエステル、ポリビニルアルコールなどの化学合成材料が挙げられる。
【００２０】
支管本体４の外周に形成された溝１５の幅は、巻芯の強度を維持しつつ、植物種子６を収容できる程度に設定する。例えば、０．１〜１０．０ｍｍであることが望ましい。溝１５の幅が狭いと植物種子６が収容しづらくなり、広幅であると巻芯の強度を維持することができないからである。
【００２１】
溝１５に収容される植物種子６は、溝１５の底面に設ける接着剤１８により、部分的に仮着されている。すなわち、植物種子６の表面の一部を接着剤１８が仮留めした状態になっている。
【００２２】
植物種子６の品種は、特に限定されないが、例えば、ハギ類、ヨモギ、牧草類、クローバー類など発芽しやすい植物種子６を用いる。植物種子６のサイズは、直径０．３〜５．０ｍｍ程度で、溝１５に収容可能なサイズであれば適宜用いることができる。
【００２３】
尚、溝１５の底面の接着剤１８には、例えば、澱粉糊、カゼイン、にかわ、天然ゴムなど自然界に存在し、土壌に埋めると土壌中の細菌やバクテリアなどの微生物の作用により分解されやすい天然材料を用いる。
【００２４】
溝１５には、植物種子６の成長を助ける肥料を一緒に収容しても良い。
【００２５】
被覆シート７は、溝１５の開口を覆うようにして設けるシートである。被覆シート７は、裏面の接着剤１８で支管本体４の外周面に貼着してある。すなわち、被覆シート７は、溝１５内に収容した植物種子６が溝１５外にこぼれ落ちないように、溝１５の開口を覆って塞ぐために設けられたものである。溝１５の塞ぎ方は、支管本体４の外周面全体を覆って良いし、溝１５に沿って開口とその周辺を塞ぐだけでも良い。
【００２６】
被覆シート７の材料としては、土壌に埋めると土壌中の細菌やバクテリアなどの微生物の作用によって、分解する材料を用いる。例えば、和紙、トイレットペーパー、キッチンペーパーなどのような吸水すると離解しやすい比較的薄手の紙を用いることが望ましい。土壌に埋めると土壌で分解されやすい木綿などの天然繊維や、レーヨンやキュプラなどの再生繊維を用いても良い。
【００２７】
また、被覆シート７の材料として、生分解性樹脂を用いることもできる。生分解性樹脂は、土壌に埋めても、土壌中の細菌やバクテリアなどの微生物の作用により、最終的に水と二酸化炭素などの自然環境に無害なものに分解されるものであって、フィルム、織布、不織布、編み物に加工して使用される。生分解性樹脂としては、例えば、キトサン、セルロース、澱粉、酢酸セルロースなどの天然材料を含む樹脂や、バイオポリエステルなどの脂肪族ポリエステル類、プルランやカードランなどの微生物多糖などの微生物由来材料や、ポリ乳酸、ポリカプロラクトン、ポリブチレンサクシネート、ポリブチレンサクシネートアジペートなどの脂肪族ポリエステル、芳香族変性脂肪族ポリエステル、ポリビニルアルコールなどの化学合成材料が挙げられる。
【００２８】
被覆シート７の材料が生分解性樹脂からなる織布、不織布、編み物である場合、収容する植物種子６の大きさよりも小さい目合いのものを用いる。仮に、溝１５の底面の接着剤１８から植物種子６が剥がれ落ちたとしても、溝１５外に植物種子６が抜け落ちないようにするためである。目合いの形状は、特に限定されず、規則的な形状以外のものでも用いることができる。
【００２９】
被覆シート７の厚さは、特に限定しないが、０．１ｍｍ〜５．０ｍｍ程度であることが望ましい。
【００３０】
尚、被覆シート７と支管本体４との接着には、澱粉糊、カゼイン、にかわ、天然ゴムなど自然界に存在し、土壌に埋めると分解する天然材料を用いることが望ましい。
【００３１】
次に、本発明の第一の実施形態に係る支管１の使用方法について、図３を用いて説明する。
【００３２】
図３は、本発明の第一の実施形態に係る支管１を土壌に埋めた状態を示す説明図である。
この支管１は、ラベルプリンタで印字発行するラベル連続体２の巻芯として使用する。ラベル連続体２のラベルを印字発行する際、ラベルプリンタの供給軸にラベル連続体２を巻回した支管１をセットする。ロール状のラベル連続体２の巻出しに伴って、セットされた支管１は回転するが、植物種子６は支管本体４の溝１５内に収容されている。すなわち、溝１５の底面に設けられた接着剤１８で植物種子６は仮着されているとともに、被覆シート７で溝１５を覆っているので、万が一、ラベルプリンタの供給軸の回転で植物種子６が接着剤１８から剥がれ落ちてしまっても、植物種子６は溝１５の外部に露出することがなく、植物種子６を痛めることがない。
ラベル連続体２を使い終った後、ラベルプリンタの供給軸には支管１だけが残る。残った支管１を外し、図３（ａ）に示すように土壌に埋める。土壌に埋められた支管１は、図３（ｂ）に示すように、支管本体４や被覆シート７が紙である場合は、土壌中に含まれる水分を吸収する。日が経つにつれて、支管本体４や被覆シート７は、離解が進み、徐々に分解されていく。また、支管本体４や被覆シート７が生分解性樹脂である場合は、土壌中に含まれる細菌やバクテリアなどの微生物により、支管本体４や被覆シート７は水および二酸化炭素などに分解されていく。さらに、支管１に肥料が収容してある場合、土壌中に含まれる水分によって溶け出し、栄養分として植物種子６の発芽生育を助ける。
すなわち、支管１は、大部分が紙や生分解性樹脂からなる材料であるので、支管１を土壌に埋めても自然環境を損なうことがない。
植物種子６は、水分を吸収して発芽し、被覆シート７を突き破って、やがて植物２０に生育していく。さらに生育した植物２０が緑化を促進するとともに、大気中の二酸化炭素を吸収、低減するので、地球温暖化を防止することができる。
【００３３】
次に、本発明の別の実施形態に係る支管を、図４および図６を用いて説明する。以下、説明する別の実施形態に係る紙管について、第一の実施形態と同様の構成部材には、同一符号を付し、詳細な説明は省略するものとする。
【００３４】
図４は、図２の支管本体４の外周面に螺旋状に形成した溝１５を、支管本体４の外周面に周方向に沿う複数本の環状の溝２５にしたものである。
【００３５】
図５は、支管本体４の内周面に支管本体の軸線方向と平行する溝３５を形成したものである。
【００３６】
図６は、支管本体４の外周面に凹部５として孔３６を形成したものである。
【００３７】
尚、溝２５、３５および孔３６は、支管本体４の材料が板紙１３の場合、円筒状の支管本体４を形成した後で外周面を切削して得るものである。
尚、溝１５、２５、３５および孔３６は、支管本体４の材料が生分解性樹脂の場合、成型時に得るものである。
【００３８】
尚、凹部５の断面形状は、切削により形成する場合や、支管本体４の材料が生分解性樹脂である場合、凹状以外にもＵ字状、Ｖ字状などに適宜設定することができる。
【００３９】
尚、本発明において、支管本体４の材料はもちろん、凹部５の形状や向き、および位置や数は任意に設計可能である。
【符号の説明】
【００４０】
１                  支管
２                  ラベル連続体
４                  支管本体
５                  凹部
６                  植物種子
７                  被覆シート
１３                板紙
１５、２５、３５    溝
１８                接着剤
１９                接着剤
２０                植物
３６                孔
【図１】
2013224202.tif 000003
【図２】
2013224202.tif 000004
【図３】
2013224202.tif 000005
【図４】
2013224202.tif 000006
【図５】
2013224202.tif 000007
【図６】
2013224202.tif 000008